(57)【要約】光情報保存媒体は、リードイン領域、ユーザデータ領域及びリードアウト領域を具備し、前記リードイン領域の一部または全域にデータがウォッブリングピットで記録され、残りの領域にデータがピットで記録されたことを特徴とする。該方法は、光情報保存媒体上にデータを記録及び／または保存媒体からデータを再生する。
2005538482.tif 000002
【特許請求の範囲】
【請求項１】
リードイン領域と、
ユーザデータ領域と、
リードアウト領域とを含み、
前記リードイン領域の少なくとも一部にデータがウォッブリングピットで記録され、残りの領域にデータがピットで記録されたことを特徴とする光情報保存媒体。
【請求項２】
前記ウォッブリングピットで記録される領域は、同じ物理的フォーマットに対して変更されない情報が記録される領域であることを特徴とする請求項１に記載の光情報保存媒体。
【請求項３】
前記ウォッブリングピットで記録される領域は、保存媒体関連情報が記録される領域であることを特徴とする請求項２に記載の光情報保存媒体。
【請求項４】
データが前記ウォッブリングピットで記録される領域に使われる第１データ記録変調方式とデータがピットで記録される領域に使われる第２データ記録変調方式とが異なることを特徴とする請求項３に記載の光情報保存媒体。
【請求項５】
データがウォッブリングピットで記録される領域の第１データ記録変調方式はバイフェーズ方式であり、データがピットで記録される領域の第２データ記録変調方式はＲＬＬ変調方式であることを特徴とする請求項４に記載の光情報保存媒体。
【請求項６】
前記ＲＬＬ変調方式はＲＬＬ（１，７）方式であることを特徴とする請求項５に記載の光情報保存媒体。
【請求項７】
前記バイフェーズ変調方式により記録される情報がｎＴ及び２ｎＴのマーク及びスペースで記録され、２≦ｎ≦４であり、Ｔは最小マーク長であることを特徴とする請求項６に記載の光情報保存媒体。
【請求項８】
前記ＲＬＬ変調方式はＲＬＬ（２，１０）方式であることを特徴とする請求項５に記載の光情報保存媒体。
【請求項９】
前記バイフェーズ変調方式により記録される情報がｎＴ及び２ｎＴのマーク及びスペースよりなり、３≦ｎ≦５であり、Ｔは最小マーク長であることを特徴とする請求項８に記載の光情報保存媒体。
【請求項１０】
前記ウォッブリングピットのパターンがユーザデータ領域で使われるパターンと実質的に一致するパターンであることを特徴とする請求項３に記載の光情報保存媒体。
【請求項１１】
前記ウォッブリングピットのパターンは、単一パターン、ランダムパターン及び少なくとも２個の組合わせパターンのうち何れか１つであることを特徴とする請求項１０に記載の光情報保存媒体。
【請求項１２】
前記ウォッブリングピットのパターンは、単一パターン、ランダムパターン及び少なくとも２個の組合わせパターンのうち何れか１つであることを特徴とする請求項３に記載の光情報保存媒体。
【請求項１３】
前記ウォッブリングピットで記録されたデータは、プッシュプルチャンネルまたはサムチャンネルで再生されることを特徴とする請求項３に記載の光情報保存媒体。
【請求項１４】
データが前記ウォッブリングピットで記録される領域に使われる第１データ記録変調方式とデータがピットで記録される領域に使われる第２データ記録変調方式とが異なることを特徴とする請求項１に記載の光情報保存媒体。
【請求項１５】
前記ウォッブリングピットで記録される領域の第１データ記録変調方式はバイフェーズ方式であり、ピットで記録される領域の第２データ記録変調方式はＲＬＬ変調方式であることを特徴とする請求項１４に記載の光情報保存媒体。
【請求項１６】
前記ＲＬＬ変調方式はＲＬＬ（１，７）方式であることを特徴とする請求項１５に記載の光情報保存媒体。
【請求項１７】
前記バイフェーズ変調方式により記録される情報がｎＴ及び２ｎＴのマーク及びスペースで記録され、２≦ｎ≦４であり、Ｔは最小マーク長であることを特徴とする請求項１６に記載の光情報保存媒体。
【請求項１８】
前記ＲＬＬ変調方式はＲＬＬ（２，１０）方式であることを特徴とする請求項１５に記載の光情報保存媒体。
【請求項１９】
前記バイフェーズ変調方式により記録される情報がｎＴ及び２ｎＴのマーク及びスペースよりなり、３≦ｎ≦５であり、Ｔは最小マーク長であることを特徴とする請求項１８に記載の光情報保存媒体。
【請求項２０】
前記ウォッブリングピットのパターンがユーザデータ領域で使われるパターンと実質的に一致するパターンであることを特徴とする請求項１に記載の光情報保存媒体。
【請求項２１】
前記ウォッブリングピットのパターンが単一パターン、ランダムパターン及び少なくとも２個の組合わせパターンのうち何れか１つであることを特徴とする請求項２０に記載の光情報保存媒体。
【請求項２２】
前記ウォッブリングピットのパターンが単一パターン、ランダムパターン及び少なくとも２個の組合わせパターンのうち何れか１つであることを特徴とする請求項１に記載の光情報保存媒体。
【請求項２３】
前記ウォッブリングピットで記録されたデータがプッシュプルチャンネルまたはサムチャンネルで再生されることを特徴とする請求項１に記載の光情報保存媒体。
【請求項２４】
１層以上の情報面を有することを特徴とする請求項１に記載の光情報保存媒体。
【請求項２５】
前記ウォッブリングピットで記録されるデータが少なくとも２回連続して反復記録されることを特徴とする請求項１に記載の光情報保存媒体。
【請求項２６】
前記ウォッブリングピットで記録される情報がピット列により非連続的に反復記録されることを特徴とする請求項１に記載の光情報保存媒体。
【請求項２７】
リードイン領域、ユーザデータ領域及びリードアウト領域を備えた光情報保存媒体の記録及び／または再生方法において、
前記リードイン領域の少なくとも一部領域にデータをウォッブリングピットで記録する段階と、
前記光情報保存媒体の残りの領域にデータをピットで記録する段階と、を含むことを特徴とする方法。
【請求項２８】
データが前記ウォッブリングピットで記録される領域は、実質的に一致する物理的フォーマットに対して変更されない情報が記録される領域であることを特徴とする請求項２７に記載の方法。
【請求項２９】
データが前記ウォッブリングピットで記録される領域は、保存媒体関連情報が記録される領域であることを特徴とする請求項２８に記載の方法。
【請求項３０】
データが前記ウォッブリングピットで記録される領域の第１データ記録変調方式とデータがピットで記録される領域の第２データ記録変調方式とが異なることを特徴とする請求項２９に記載の方法。
【請求項３１】
データが前記ウォッブリングピットで記録される領域の第１データ記録変調方式はバイフェーズ方式であり、データがピットで記録される領域の第２データ記録変調方式はＲＬＬ変調方式であることを特徴とする請求項３０に記載の方法。
【請求項３２】
前記ＲＬＬ変調方式はＲＬＬ（１，７）方式であることを特徴とする請求項３１に記載の方法。
【請求項３３】
前記バイフェーズ変調方式により記録される情報がｎＴ及び２ｎＴのマーク及びスペースで記録され、２≦ｎ≦４であり、Ｔは最小マーク長であることを特徴とする請求項３２に記載の方法。
【請求項３４】
前記ＲＬＬ変調方式はＲＬＬ（２，１０）方式であることを特徴とする請求項３１に記載の方法。
【請求項３５】
前記バイフェーズ変調方式により記録される情報がｎＴ及び２ｎＴのマーク及びスペースよりなり、３≦ｎ≦５であり、Ｔは最小マーク長であることを特徴とする請求項３４に記載の方法。
【請求項３６】
前記ウォッブリングピットのパターンがユーザデータ領域で使われるパターンと実質的に一致するパターンであることを特徴とする請求項２９に記載の方法。
【請求項３７】
前記ウォッブリングピットのパターンが単一パターン、ランダムパターン及び少なくとも２個の組合わせパターンのうち何れか１つであることを特徴とする請求項３６に記載の方法。
【請求項３８】
前記ウォッブリングピットのパターンが単一パターン、ランダムパターン及び少なくとも２個の組合わせパターンのうち何れか１つであることを特徴とする請求項２９に記載の方法。
【請求項３９】
前記ウォッブリングピットで記録された情報がプッシュプルチャンネルまたはサムチャンネルで再生されることを特徴とする請求項２９に記載の方法。
【請求項４０】
データが前記ウォッブリングピットで記録される領域の第１データ記録変調方式とデータがピットで記録される領域の第２データ記録変調方式とが異なることを特徴とする請求項２７に記載の方法。
【請求項４１】
前記ウォッブリングピットで記録される領域のデータ記録変調方式はバイフェーズ方式であり、ピットで記録される領域のデータ記録変調方式はＲＬＬ変調方式であることを特徴とする請求項４０に記載の方法。
【請求項４２】
前記ＲＬＬ変調方式はＲＬＬ（１，７）方式であることを特徴とする請求項４１に記載の方法。
【請求項４３】
前記バイフェーズ変調方式により記録される情報がｎＴ及び２ｎＴのマーク及びスペースで記録され、２≦ｎ≦４であり、Ｔは最小マーク長であることを特徴とする請求項４２に記載の方法。
【請求項４４】
前記ＲＬＬ変調方式はＲＬＬ（２，１０）方式であることを特徴とする請求項２７に記載の方法。
【請求項４５】
前記ウォッブリングピットで記録されるデータが少なくとも２回連続して反復記録されることを特徴とする請求項２７に記載の方法。
【請求項４６】
前記ウォッブリングピットで記録されるデータがピット列により非連続的に反復記録されることを特徴とする請求項２７に記載の方法。
【請求項４７】
前記光情報保存媒体は、ＣＤ、ＣＤ−Ｒ、ＣＤ−ＲＷ、ＤＶＤ、ＤＶＤ＋ＲＷ、ＤＶＤ−ＲＡＭ、ＤＶＤ−ＲＷ、及びＨＤ−ＤＶＤのうち何れか１つであることを特徴とする請求項１に記載の光情報保存媒体。
【請求項４８】
前記光情報保存媒体は、再生専用情報保存媒体であることを特徴とする請求項１に記載の光情報保存媒体。
【発明の詳細な説明】
【技術分野】
【０００１】
本発明は、光情報保存媒体及び記録及び／または再生方法に係り、より詳細には、リードイン領域の一部または全域にデータがウォッブリングピットで記録され、残りの領域にデータがピットで記録された光情報保存媒体及びその記録及び／または再生方法に関する。
【背景技術】
【０００２】
一般的に、光情報保存媒体、例えば、光ディスクは非接触式で情報を記録／再生する光ピックアップ装置の情報保存媒体として広く採用され、情報記録容量によってコンパクトディスク（ＣＤ）、デジタル多機能ディスク（ＤＶＤ）に区分される。そして、情報の記録、消去及び再生が可能な光ディスクとして、６５０ＭＢ  ＣＤ−Ｒ、ＣＤ−ＲＷ、４．７ＧＢ  ＤＶＤ＋Ｒ／ＲＷ、ＤＶＤ−ＲＡＭ、ＤＶＤ−Ｒ／ＲＷなどがあり、再生専用ディスクとして６５０ＭＢ  ＣＤ、４．７ＧＢ  ＤＶＤ−ＲＯＭなどがある。さらに、記録容量が２０ＧＢ以上の高密度光ディスク（ＨＤ−ＤＶＤ）も開発されている。
【０００３】
ところで、前記のような多様な種類の光情報保存媒体は、互換性を通じてユーザの便宜を図ったり、経済性を考慮して保存媒体の種類別に標準化された規格を有しており、まだ規格が決まっていない保存媒体に対しては標準化のための努力が進行しつつある。特に、従来の保存媒体との互換性や一貫性などを確保する方向にフォーマットに対する開発が要求される。ところで、従来の保存媒体には、データをピット形態に記録するか、グルーブウォッブル形態に記録する方式が採用されてきた。ここで、ピットとは、ディスク製造時に基板に物理的に形成された溝をいい、グルーブウォッブルとは、グルーブがウェーブ形態に形成されたものを意味する。ここで、ピット信号はジッタ値として検出される一方、グルーブウォッブル信号はプッシュプル信号として検出される。
【０００４】
図１は、グルーブウォッブルの深さまたはピット深さによるプッシュプル信号とジッタ特性とをグラフで示したものである。プッシュプル信号が最大となるグルーブウォッブルの深さは約１／８（λ／ｎ）であり、ジッタ特性が最も良好なピット深さは１／４（λ／ｎ）である。したがって、グルーブウォッブルとピットが両方共に存在する光情報保存媒体ではグルーブウォッブルの深さとピットの深さとを各々信号特性を考慮して異ならせることが良い。しかし、グルーブウォッブルとピットの深さとを異ならせる場合に、グルーブウォッブルを形成する工程とピットを形成する工程とが独立してなされなければならないので、製造工程が複雑になって量産性が落ちるという短所がある。また、製造工程を単純化するために、グルーブとピットの深さを同一にする場合には製造工程の側面では有利になる一方、信号特性の側面ではプッシュプル信号とジッタ特性のうち何れか１つを満足できないか、両側を何れも満足できなくなって、データの記録／再生性能が低下するという問題点がある。
【発明の開示】
【発明が解決しようとする課題】
【０００５】
本発明は、前記に提起された問題を勘案して案出されたものであって、製造工程を単純化させると共に、信号特性側面で有利であり、かつ他の種類の光保存媒体との一貫性を保持可能にした光情報保存媒体を提供するところにその目的がある。
【課題を解決するための手段】
【０００６】
前記目的を達成するために、本発明による光情報保存媒体は、リードイン領域、ユーザデータ領域及びリードアウト領域を備えた光情報保存媒体において、前記リードイン領域の一部または全域にデータがウォッブリングピットで記録され、残りの領域にデータがピットで記録されたことを特徴とする。
【０００７】
前記ウォッブリングピットで記録される領域は、同じ物理的フォーマットに対して変更されない情報が記録される領域でありうる。
【０００８】
前記ウォッブリングピットで記録される領域は、保存媒体関連情報が記録される領域であることが望ましい。
【０００９】
前記ウォッブリングピットで記録される領域のデータ記録変調方式とピットで記録される領域のデータ記録変調方式とが異なることが望ましい。
【００１０】
前記ウォッブリングピットで記録される領域のデータ記録変調方式はバイフェーズ方式であり、ピットで記録される領域のデータ記録変調方式はＲＬＬ変調方式でありうる。
【００１１】
前記ウォッブリングピットのパターンがユーザデータ領域で使われるパターンと同一であることが望ましい。
【００１２】
前記ウォッブリングピットのパターンが単一パターン、ランダムパターン及び少なくとも２つ以上の組合わせパターンのうち何れか１つでありうる。
【００１３】
前記目的を達成するために、リードイン領域、ユーザデータ領域及びリードアウト領域を備えた光情報保存媒体の記録及び／または再生方法において、前記リードイン領域の一部または全域にデータをウォッブリングピットで記録する段階と、残りの領域にデータをピットで記録する段階と、を含むことを特徴とする。
【００１４】
本発明のさらに他の目的と利点は後続する詳細な説明に部分的に説明され、部分的には詳細な説明から明白になるか、本発明の実施により得られる。
【発明を実施するための最良の形態】
【００１５】
本発明の望ましい実施例について詳細に参照番号が作られ、添付された図面に紹介された例は類似した要素について類似した参照番号を参照する。図面を参照して本発明を説明するために実施例が記述される。
【００１６】
本発明の関連技術として記録可能な高密度光情報保存媒体の全体的な構造が図２に図示されている。これと関連した発明は本出願人が出願した韓国特許第２００１−０２３７４７号に開示されている。この記録可能な光情報保存媒体は、リードイン領域１１０、ユーザデータ領域１２０及びリードアウト領域１３０を含み、保存媒体全体領域をグルーブ１２３及びランド１２５で構成する。ここで、ユーザデータはグルーブ１２３にのみ記録されるか、または、グルーブ１２３及びランド１２５の何れにも記録されうる。
【００１７】
一方、リードイン領域１１０に再生専用データを記録する時、ピットの代わりにグルーブ１２３及び／またはランド１２５トラックの側壁に特定周波数の信号であるウェーブ型のウォッブル信号１０５、１０６を連続して記録する。ここで、ビームＬがグルーブ１２３及び／またはランド１２５トラックに沿って行きつつ、データを記録するか、再生する。特に、リードイン領域１１０及びリードアウト領域１３０にはディスク関連情報が記録される再生専用領域と記録可能な領域とが共に備わる。前記ディスク関連情報は高周波ウォッブル１０５で記録され、リードイン領域１１０及びリードアウト領域１３０の記録可能な領域とユーザデータ領域１２０は、高周波ウォッブル１０５に比べて相対的に低い周波数のウォッブル１０６で構成される。未説明符号１２７はユーザデータ領域１２０に形成された記録マークを示す。
【００１８】
このような構造よりなる記録可能な光情報保存媒体で、リードイン領域１１０の再生専用データはプッシュプルチャンネルを用いて再生し、ユーザデータはサムチャンネルを用いて再生できる。また、リードイン領域に記録されるデータの記録変調方式としては、バイフェーズ変調方式を採択し、ユーザデータの記録変調方式としては後述するＲＬＬ（Ｒｕｎ  Ｌｅｎｇｔｈ  Ｌｉｍｉｔ）変調方式を採択する。バイフェーズ変調方式によれば、一定の周期内に信号変化がある場合と、ない場合とによって、データを表示する方式である。例えば、図３に示されたように所定周期Ｐ内でグルーブウォッブルの位相が変わらない時には０ビットを、グルーブウォッブルの位相が変わる時には１ビットを表す。このように一定の周期内で所定信号の変化有無、例えば、位相の変化有無によってデータを記録する方式をバイフェーズ方式という。ここでは、グルーブウォッブルの位相変調を説明したが、その他にも多様なパターンの変調が可能である。
【００１９】
前述したような記録可能な光情報保存媒体の記録変調方式に対する一貫性を考慮して、本発明による再生専用光情報保存媒体の物理的データ構造を次のように構成しうる。
【００２０】
本発明の望ましい実施例による光情報保存媒体は図４を参照するに、ユーザデータが記録されるデータ領域１３、データ領域１３の内側に設けられたリードイン領域１０及びデータ領域１３の外側に設けられたリードアウト領域１５を含み、リードイン領域１３、データ領域１３及びリードアウト領域１５に記録されるデータがピット形態に記録される。特に、図５に示されたように、リードイン領域１０の一部または全域にデータがウォッブリングピット８で記録され、残りの領域は一般的なピット９で記録される。ウォッブリングピット８とは、ピットがウェーブ形態に配列されたピット列を意味し、一般的なピットとは、ピットが一列に配列されたものを意味する。以下、一般的なピット９だけをピットと称する。
【００２１】
ウォッブリングピット８は、リードイン領域１０に記録される情報のうち、同じ物理的フォーマット（変調方式、最小ピット長、トラックピッチなどについてのフォーマット）による保存媒体に対して変更されない情報が記録される領域に形成される。ここで、同じ物理的フォーマットによる保存媒体に対して変更されない情報としては、例えば、保存媒体関連情報や複写防止情報などがある。保存媒体関連情報としては、例えば、記録可能型ディスク、追記型ディスク、再生専用ディスクのような保存媒体の種類に関する情報、記録層数に関する情報、記録速度情報、ディスクサイズ情報などがある。一方、保存媒体のコンテンツによって変わる情報、例えばユーザデータ領域にデータが記録された部分の最後のアドレスのような情報がピット９の形で記録される。
【００２２】
同じ物理的フォーマットについて変更されない情報が記録される領域としては、リードイン領域１０全体になるか、あるいは一部領域になり得る。例えば、同じ物理的フォーマットについて変更されない情報が記録される領域として保存媒体関連情報領域１０ａにデータがウォッブリングピット８で記録され、前記保存媒体関連情報領域以外の残りの領域は、データがピット９で記録されることが望ましい。
【００２３】
ウォッブリングピット８は前記記録可能な保存媒体のグルーブウォッブルの周期と同じ周期を有することが望ましい。これによれば、記録可能な保存媒体と同じ再生チャンネルを用いてデータを再生できるという利点がある。
【００２４】
一方、ウォッブリングピット８のパターンを多様な方式で具現しうる。例えば、図６Ａに示されたように、同じ長さを有するマーク８ａとスペース８ｂとよりなる単一マークパターンが有り得る。言い換えれば、単一マークパターンは同じ長さを有するマークとスペースとよりなるパターンを表す。このような単一パターンの場合には、ピット自体には情報がなく、ウォッブルに情報が記録されうる。この際、ウォッブリングピットの情報再生チャンネルとしてプッシュプルチャンネルが使われうる。このように、リードイン領域１０の情報をプッシュプルチャンネルで再生し、ユーザデータ領域１３の情報をサムチャンネルで再生する場合、前記記録可能な保存媒体と同じ再生チャンネルを利用できるので、一貫性の側面で有利である。
【００２５】
また、単一パターンは製造工程が単純化されるという点で有用である。しかし、トラッキングサーボに使われる位相差検出法（ＤＰＤ）によりトラッキングする時、単一パターンとしてはトラッキングし難い側面がある。前記位相差検出法は公知の検出法であるために、ここではその詳細な説明は省略する。
【００２６】
このような点を勘案して図６Ｂに示されたようにウォッブリングピット８のパターンをランダムパターンとすることが良い。ランダムパターンは、マーク８ａとスペース８ｂとの長さがランダムに配列されたパターンであって、ピット及びウォッブルのうち少なくとも何れか１つに情報が記録されうる。ピットとウォッブルとのいずれにも情報が記録された場合には、サムチャンネルまたはプッシュプルチャンネルにより情報が再生されうる。また、かかる場合、ピットに保存媒体関連情報を記録し、ウォッブルに他の付加的な情報を記録するか、逆にウォッブルに保存媒体関連情報を記録し、ウォッブルに他の付加的な情報を記録することによって記録容量を増加させうる。
【００２７】
次いで、図６Ｃに示されたように、ウォッブリングピット８が少なくとも２種類以上の長さを有するマークとスペースとのパターン組合わせは、一定の周期で反復されるパターンよりなりうる。例えば、２Ｔと５Ｔの長さを有するマークとスペースとが反復配列されるパターンで有り得る。ここで、Ｔは最小マーク長を表す。
【００２８】
一方、ウォッブリングピット８は、ピットに情報が記録されることもあるが、ウォッブルにも所定の情報が記録されうる。このような情報についての信頼性を高めるためにピットウォッブルを反復記録することが望ましい。図７Ａに示されたように、ウォッブリングピット２０を連続して少なくとも２回反復形成してデータを記録しうる。この際、同じ情報を有する一周期Ｔのウォッブリングピット２０が連続して反復形成されうる。または、相異なる情報を有する第１ウォッブリングピットと第２ウォッブリングピットがある時、第１ウォッブリングピットが少なくとも２回反復記録された後、第２ウォッブリングピットが少なくとも２回反復記録されうる。このように相異なる情報を有する複数のウォッブリングピットが順次に少なくとも２回反復記録されうる。
【００２９】
図７Ｂに示されたように、ウォッブリングピット２１を非連続的に少なくとも２回反復して記録しうる。ウォッブリングピットを非連続的に反復記録する時、ウォッブリングピット２１、ピット２３順に反復、記録されうる。また、相異なる情報を有する第１ウォッブリングピットと第２ウォッブリングピットがある時、第１ウォッブリングピットとピットとが形成され、次いで第２ウォッブリングピットとピットとが形成されうる。このように、相異なる情報を有する複数のウォッブリングピットがある時、これら複数のウォッブリングピットの間にはピットが形成されうる。
【００３０】
ここで、前記ストレート型ピットの代りにミラー領域に代替しても良い。
【００３１】
上記のようにウォッブリングピットを反復記録することによって、何れか１つの情報に欠陥が生じた時にも、情報を円滑に再生可能にして信頼性を向上させうる。
【００３２】
前記ウォッブリングピット８またはピット９は、光情報保存媒体の製造時に基板にあらかじめ形成される。このように光情報保存媒体の全域に記録されるデータをピットで記録すれば、リードイン領域１０とユーザデータ領域１３に、工程の中断なしにピットを形成できるので、製造工程が簡単になり、工程時間を短縮できる。また、グルーブウォッブルがないために、ピットに対する最適の深さを統一的に定めることができる。すなわち、図１を参照してジッタ特性が最低になる深さ、例えば、１／４（ｎ／λ）にピットを形成しうる。
【００３３】
一方、リードイン領域１０の全体またはディスク関連情報領域１０ａと残りの領域でのデータ記録変調方式を異ならせることが望ましい。例えば、リードイン領域１０の全体または保存媒体関連情報領域１０ａが記録されるデータ記録変調方式としてはバイフェーズ変調方式を採択し、残りの領域のデータ記録変調方式としてはＲＬＬ変調方式を採択しうる。
【００３４】
ＲＬＬ変調方式は、１ビットと１ビットとの間に０ビットが何個入るかによる変調方式を示すものであって、ＲＬＬ（ｄ、ｋ）は１ビットと１ビットとの間に入る０ビットの数が最小（ｄ）個であり、最大（ｋ）個であることを意味する。
【００３５】
例えば、保存媒体関連情報領域１０ａは、バイフェーズ変調方式により、残りの領域はＲＬＬ（１−７）変調方式によりデータを記録しうる。
【００３６】
バイフェーズ方式では、図６Ａないし図６Ｃに示されたように所定の一周期内でウォッブリングピットの位相変化がない場合には０ビット（または１ビット）を、ウォッブリングピットの位相変化がある場合には１ビット（または０ビット）を各々表す。
【００３７】
ＲＬＬ（１，７）方式は、１ビットと１ビットとの間に入る０ビットの数が最小１つ、最大７つの方式を表す。この変調方式によれば、ｄ＝１である時（１０１０１０１）のデータが記録されて１ビットと１ビットとの間に２Ｔの長さを有する。また、ｄ＝７である時（１０００００００１０００００００１）のデータが記録されて１ビットと１ビットとの間に８Ｔの長さを有する。したがって、ＲＬＬ（１，７）変調方式ではデータが（２Ｔ、８Ｔ）の長さを有するマークとスペースとで記録される。この際、バイフェーズ変調方式により記録されるデータはｎＴ及び２ｎＴのピット及びスペースよりなり、ｎは２≦ｎ≦４の範囲内にあることが望ましい。例えば、ｎ＝２である場合には、バイフェーズ変調方式によるデータが２Ｔ及び４Ｔのピット及びスペースよりなり、ｎ＝４である場合には、バイフェーズ変調方式によるデータが４Ｔ及び８Ｔのピット及びスペースよりなる。したがって、ｎが２≦ｎ≦４の範囲内にある時、ｎＴ及び２ｎＴのピット及びスペースよりなるデータは何れもＲＬＬ（１，７）変調方式によるマーク及びスペース長の範囲内に含まれる。
【００３８】
このようにバイフェーズ変調方式によるマーク及びスペースの周期をユーザ領域で使用しているマーク及びスペースの周期範囲内で使用する時、リードイン領域の全体または一部領域の再生専用データピットとユーザ領域１３のデータピットとを同じＰＬＬ回路を用いて再生可能であるという利点がある。
【００３９】
さらに他の例として、リードイン領域１０の全体または一部領域、例えば保存媒体関連情報領域１０ａはバイフェーズ変調方式により、残りの領域はＲＬＬ（２，１０）変調方式によりデータを記録する。
【００４０】
ＲＬＬ（２，１０）変調方式によれば、データが（３Ｔ−１１Ｔ）範囲内の長さを有するマーク８ａまたはスペース８ｂで記録される。この際、バイフェーズ方式で記録されるデータはｎＴ及び２ｎＴの長さを有するマーク９ａとスペース９ｂとで構成され、ｎは３≦ｎ≦５の範囲を有することが望ましい。すなわち、ｎ＝３である時、バイフェーズ方式によるデータは３Ｔ及び６Ｔの長さを有するマーク及びスペースで構成され、ｎ＝５である時、５Ｔ及び１０Ｔの長さを有するピット及びスペースで構成される。このようなバイフェーズ方式におけるピット及びスペースの長さはＲＬＬ（２−１０）方式を採用したユーザデータの長さ範囲である（３Ｔ−１１Ｔ）範囲内に含まれるので、前述したようにユーザデータ領域でのデータピットとリードイン領域でのデータとを同じＰＬＬ回路を用いて再生しうる。
【００４１】
前述した光情報保存媒体の記録及び／または再生方法は、１層以上の情報面を有する保存媒体に適用しうる。
【産業上の利用可能性】
【００４２】
前述したように本発明による光情報保存媒体及びその記録及び／または再生方法によれば、保存媒体全域に亙って統一的にピットを形成することによって製造工程を単純化させ、グルーブやピットによる信号特性差を考慮せずとも、信号が最適となる深さにピットを形成できるので、記録／再生特性を向上させるのに有利である。
【００４３】
また、リードイン領域の全体または一部領域のデータ記録変調方式と残りの領域のデータ記録変調方式とを記録可能な光情報保存媒体の記録変調方式と一致させることによって、他の種類の保存媒体との一貫性を保持しうる。また、本発明によれば、既存のグルーブウォッブルによるデータより多量のデータを記録でき、リードイン領域の再生専用データとユーザデータとを同じＰＬＬ回路を用いて再生できるという利点がある。
【００４４】
本発明の幾つかの実施例が図示されて説明されたが、当該技術分野の当業者によって本発明の原理と思想から外れず、本実施例での変更が可能であり、その範囲は特許請求の範囲及びその均等な範囲に限定される。
【図面の簡単な説明】
【００４５】
【図１】関連技術によるグルーブウォッブルまたはピット深さによるプッシュプル信号とジッタ特性の変化を示すグラフである。
【図２】本発明の関連技術として記録可能な高密度光情報保存媒体の物理的構造を概略的に示す図である。
【図３】グルーブウォッブルの記録変調方式を示す図である。
【図４】本発明による光情報保存媒体の全体的な構造を概略的に示す図である。
【図５】本発明の一実施例による光情報保存媒体の記録方法を説明するための図である。
【図６Ａ】本発明の一実施例による光情報保存媒体に形成されたウォッブリングピットのパターンに対する多様な例を示す図である。
【図６Ｂ】本発明の一実施例による光情報保存媒体に形成されたウォッブリングピットのパターンに対する多様な例を示す図である。
【図６Ｃ】本発明の一実施例による光情報保存媒体に形成されたウォッブリングピットのパターンに対する多様な例を示す図である。
【図７Ａ】本発明による光情報保存媒体に形成されたウォッブリングピットが連続して反復記録される例を示す図である。
【図７Ｂ】本発明による光情報保存媒体に形成されたウォッブリングピットが非連続的に反復記録される例を示す図である。
【図１】
2005538482.tif 000003
【図２】
2005538482.tif 000004
【図３】
2005538482.tif 000005
【図４】
2005538482.tif 000006
【図５】
2005538482.tif 000007
2005538482.tif 000008
2005538482.tif 000009
2005538482.tif 000010
【国際調査報告】
2005538482.tif 000011